【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
コンピュータ機器により実装される物流資源のスケジューリング方法であって、
倉庫資源提供端末からの倉庫資源、および、配送資源提供端末からの配送資源の決定と、
条件を満たす物流資源を獲得するため資源統合規則に従って前記倉庫資源および前記配送資源を統合することと、
前記物流資源をリリースし、前記物流資源の使用を要求する売買対象物提供端末による前記物流資源のスケジューリングを可能にすることと、を含む、スケジューリング方法。
【請求項２】
前記倉庫資源は倉庫容量および在庫回転期間を含み、
倉庫資源提供端末からの倉庫資源の決定は、
期間内における倉庫単位の過去の販売数量および過去の販売量比に従って、前記倉庫資源提供端末により提供された倉庫単位の在庫回転期間を決定することと、
前記倉庫単位の少なくとも１つの取得された在庫回転期間を、前記倉庫資源提供端末の在庫回転期間として用いることと、を含む、請求項１に記載のスケジューリング方法。
【請求項３】
前記配送資源は配送属性を含み、
配送資源提供端末からの配送資源の決定は、
前記配送資源提供端末からリリースされた、配送タイプ、配送ルート、および各配送ルートの配送容量を受信することと、
前記配送タイプ、前記配送ルート、および各配送ルートの前記配送容量に従って、前記配送資源提供端末の前記配送属性を決定することと、を含む、請求項２に記載のスケジューリング方法。
【請求項４】
条件を満たす物流資源を獲得するための資源統合規則に従った前記倉庫資源および前記配送資源の統合は、
前記資源統合規則と、前記倉庫資源の前記倉庫容量および前記在庫回転期間と、前記配送資源の前記配送属性と、に基づいて統合を実行し、前記条件を満たす前記物流資源を獲得することを含み、前記条件は統合された物流資源の利用率を調整するために用いられる、
請求項３に記載のスケジューリング方法。
【請求項５】
前記物流資源をリリースした後に、
前記売買対象物提供端末により送信された物流資源注文情報を受信し、前記物流資源注文情報は、前記売買対象物提供端末により選択された物流資源および売買対象物識別情報を含むことと、
前記売買対象物識別情報と選択された前記物流資源との間にマッピング関係を設定することと、をさらに含む、請求項１に記載のスケジューリング方法。
【請求項６】
前記物流資源のリリースの後に、
前記売買対象物提供端末により送信された注文情報を受信し、前記注文情報は、前記売買対象物識別情報および前記売買対象物提供端末の識別情報を含み、前記注文情報はさらに配送先情報を含むことと、
前記売買対象物提供端末の識別情報に従って前記売買対象物提供端末のための倉庫資源を決定することと、
前記倉庫資源に従って、前記売買対象物識別情報に対応する売買対象物が位置づけられる倉庫単位を決定することと、
前記配送先情報に従って、前記決定された倉庫単位から、前記配送先情報からの距離が閾値より小さい倉庫単位を選択することと、
前記倉庫単位に前記注文情報を送信し、前記注文情報に従って出荷および配送を実行するよう前記倉庫単位に指示することと、をさらに含む、請求項５に記載のスケジューリング方法。
【請求項７】
前記倉庫資源に従って、前記売買対象物識別情報に対応する前記売買対象物が位置づけられる前記倉庫単位を決定することは、
前記注文情報に含まれる売買対象物識別情報の数が１より大きい場合、前記倉庫資源に従って、売買対象物識別情報のそれぞれに対応する売買対象物が位置づけられる倉庫単位を決定することを含み、
前記方法は、
前記注文情報に含まれる売買対象物識別情報に対応する売買対象物が異なる倉庫単位に位置づけられる場合、前記売買対象物が位置づけられる倉庫単位に従って前記注文情報を複数の下位注文情報に分割し、それぞれの下位注文情報は、同一の前記倉庫単位に位置づけられる前記売買対象物の識別情報および前記配送先情報を含むことを含む、請求項６に記載のスケジューリング方法。
【請求項８】
前記売買対象物提供端末により選択された前記物流資源に含まれる前記倉庫資源の在庫数量を監視することと、
前記在庫数量および販売量予測値に従って倉庫間補充／割当戦略を生成し、前記販売量予測値は販売量予測アルゴリズムおよび倉庫単位の過去の販売量データに従って決定され、前記倉庫間補充／割当戦略は前記倉庫単位における売買対象物の在庫数量を調整するよう構成されることと、
前記倉庫間補充／割当戦略を前記売買対象物提供端末に送信することと、をさらに含む、請求項１に記載のスケジューリング方法。
【請求項９】
前記物流資源のリリースにおいて、
異なる物流資源の価格情報を決定し、前記価格情報を表示することをさらに含む、請求項１に記載のスケジューリング方法。
【請求項１０】
プロセッサと、命令を記憶するメモリとを備える物流資源スケジューリング装置であって、前記命令は、前記プロセッサにより実行された場合、前記装置に、
倉庫資源提供端末からの倉庫資源、および、配送資源提供端末からの配送資源の決定をし、
条件を満たす物流資源を獲得するため資源統合規則に従って前記倉庫資源および前記配送資源を統合し、
前記物流資源をリリースし、前記物流資源の使用を要求する売買対象物提供端末による前記物流資源のスケジューリングを許可する、動作を実行させる装置。
【請求項１１】
前記倉庫資源は倉庫容量および在庫回転期間を含み、
倉庫資源提供者側からの倉庫資源の決定は、
期間内における倉庫単位の過去の販売数量および過去の販売量比に従って、前記倉庫資源提供端末により提供された倉庫単位の在庫回転期間を決定すること、および、
前記倉庫単位の少なくとも１つの取得された在庫回転期間を、前記倉庫資源提供端末の在庫回転期間として用いること、を含む、請求項１０に記載の装置。
【請求項１２】
前記配送資源は配送属性を含み、
配送資源提供端末からの配送資源の決定は、
前記配送資源提供端末によりリリースされた、配送タイプ、配送ルート、および各配送ルートの配送容量を受信することと、
前記配送タイプ、前記配送ルート、および各配送ルートの前記配送容量に従って、前記配送資源提供端末の前記配送属性を決定することを含む、請求項１１に記載の装置。
【請求項１３】
条件を満たす物流資源を獲得するための資源統合規則に従った前記倉庫資源および前記配送資源の統合は、
前記資源統合規則と、前記倉庫資源の前記倉庫容量および前記在庫回転期間と、前記配送資源の前記配送属性と、に基づいて統合を実行し、前記条件を満たす前記物流資源を獲得することを含み、前記条件は統合された物流資源の利用率を調整するために用いられる、請求項１２に記載の装置。
【請求項１４】
前記命令は、前記プロセッサにより実行された場合、さらに、
前記物流資源がリリースされた後に、前記売買対象物提供端末により送信された物流資源注文情報を受信し、前記物流資源注文情報は、前記売買対象物提供端末により選択された物流資源および売買対象物識別情報を含み、
前記売買対象物識別情報と選択された前記物流資源との間にマッピング関係を設定する、動作を実行するよう構成される、請求項１０に記載の装置。
【請求項１５】
前記命令は、前記プロセッサにより実行された場合、さらに、
前記物流資源がリリースされた後に、前記売買対象物提供端末により送信された注文情報を受信し、前記注文情報は、前記売買対象物識別情報および前記売買対象物提供端末の識別情報を含み、前記注文情報はさらに配送先情報を含み、
前記売買対象物提供端末の識別情報に従って前記売買対象物提供端末からの倉庫資源を決定し、
前記倉庫資源に従って、前記売買対象物識別情報に対応する前記売買対象物が位置づけられる倉庫単位を決定し、
前記配送先情報に従って、決定された前記倉庫単位から、前記配送先情報からの距離が閾値よりも小さい倉庫単位を選択し、
前記倉庫単位に前記注文情報を送信し、前記注文情報に従って出荷および配送を実行するよう前記倉庫単位に指示する、動作をさらに実行するよう構成される、請求項１４に記載の装置。
【請求項１６】
前記倉庫資源に従って、前記売買対象物識別情報に対応する前記売買対象物が位置づけられる前記倉庫単位を決定することは、
前記注文情報に含まれる売買対象物識別情報の数が１より大きい場合、前記倉庫資源に従って、売買対象物識別情報のそれぞれに対応する売買対象物が位置づけられる倉庫単位を決定することを含み、
前記命令は、前記プロセッサにより実行された場合、
前記注文情報に含まれる前記売買対象物識別情報に対応する売買対象物が異なる倉庫単位に位置づけられる場合、前記売買対象物が位置づけられる前記倉庫単位に従って前記注文情報を複数の下位注文情報に分割し、それぞれの下位注文情報は、同一の前記倉庫単位に位置づけられる前記売買対象物の識別情報および前記配送先情報を含む、動作を実行するよう構成される、請求項１５に記載の装置。
【請求項１７】
前記命令は、前記プロセッサにより実行された場合、
前記売買対象物提供端末により選択された前記物流資源に含まれる前記倉庫資源の在庫数量を監視し、
前記在庫数量および販売量予測値に従って倉庫間補充／割当戦略を生成し、前記販売量予測値は販売量予測アルゴリズムおよび倉庫単位の過去の販売量データに従って決定され、前記倉庫間補充／割当戦略は前記倉庫単位における売買対象物の在庫数量を調整するために用いられ、
前記倉庫間補充／割当戦略を前記売買対象物提供端末に送信する、動作をさらに実行するよう構成される、請求項１０に記載の装置。
【請求項１８】
前記命令は、前記プロセッサにより実行された場合、
前記物流資源がリリースされているときに、異なる物流資源の価格情報を決定し、前記価格情報を表示する、動作をさらに実行するよう構成される、請求項１０に記載の装置。
【請求項１９】
コンピュータ機器により実装されるフロントエンド売買対象物提示プラットフォームと、前記の、または、異なるコンピュータ機器により実装されるバックエンド物流サービスプラットフォームとを含む物流スケジューリングシステムであって、
前記フロントエンド売買対象物提示プラットフォームは、売買対象物提供者側により提供された売買対象物情報をリリースするよう構成され、
前記バックエンド物流サービスプラットフォームは、倉庫資源提供端末からの倉庫資源および配送資源提供端末からの配送資源の決定をし、条件を満たす物流資源を獲得するため資源統合規則に従って前記倉庫資源および前記配送資源を統合し、前記物流資源をリリースして前記物流資源の使用を要求する前記売買対象物提供者側による前記物流資源のスケジューリングを許可するよう構成される、物流スケジューリングシステム。